【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
検出面と、
配線容量が異なる複数種類の配線から形成された複数のセンサ線と、
被検出物の前記検出面に対する接触または近接に応答して前記複数のセンサ線に発生した電気的変化を検出する接触検出部と、
を有し、
前記接触検出部は、配線容量が異なり互いに近接する複数種類のセンサ線からの複数の出力に対し配線容量比を用いた演算処理を行うことによって、前記電気的変化を示す検出信号を発生する演算回路を含む
接触検出装置。
【請求項２】
前記複数のセンサ線は、種類ごとに長さが異なり互いに平行配置された複数Ｍ種類の配線から形成され、かつ、互いに近接するＭ本のセンサ線は種類が異なるように配置され、
前記接触検出部は、前記互いに近接し種類が異なるＭ本のセンサ線ごとに前記演算回路を有する
請求項１に記載の接触検出装置。
【請求項３】
前記Ｍ本のセンサ線は、厚さと幅が同じで長さが複数種類の同一材料の配線から形成され、
前記Ｍ本のセンサ線の各々は、最も短い基本センサ線の長さをＬとしたときにＬのＫ倍（ただし、Ｋ＝１〜Ｎ）の長さを有し、
前記演算回路は、前記Ｍ本のセンサ線から最も長いセンサ線を含む２本のセンサ線を選択し、当該２本のセンサ線からの２つの出力に対して、前記選択した２本のセンサ線の長さの比に応じたタイミングで２つの出力をサンプリングし、サンプリング値の差分演算を行うことによって前記検出信号を求める
請求項２に記載の接触検出装置。
【請求項４】
前記Ｍと前記Ｎが３である
請求項３に記載の接触検出装置。
【請求項５】
前記Ｍ本のセンサ線は、厚さと幅が同じで長さが複数種類の同一材料の配線から形成され、
前記Ｍ本のセンサ線の各々は、最も短い基本センサ線の長さをＬとしたときにＬのＫ倍（ただし、Ｋ＝１〜Ｎ）の長さを有し、
前記演算回路は、前記Ｍ本のセンサ線から２本のセンサ線を選択し、長さの比がｋ（２以上の自然数）の２本の選択したセンサ線の出力を差分演算し、求めた差分を（ｋ−１）で除して前記検出信号を求める
請求項２に記載の接触検出装置。
【請求項６】
一の前記演算回路と他の一の前記演算回路が同一のセンサ線に接続され、当該２つの演算回路で共通のセンサ線を中心に、他の種類のセンサ線が線対称に配置されている
請求項２〜５に記載の接触検出装置。
【請求項７】
前記種類が異なるＭ本のセンサ線が周期的に繰り返し配置されている
請求項２〜５に記載の接触検出装置。
【請求項８】
複数のセンサ線は、種類ごとに長さが異なり互いに平行配置された複数Ｍ種類の配線から形成され、
前記複数のセンサ線とそれぞれが容量結合し、前記複数のセンサ線と異なる方向に長く平行配置された複数の駆動電極と、
前記複数の駆動電極を一方端の駆動電極から他方端の駆動電極に向かって順次電圧駆動（走査）する走査駆動部と、
をさらに有する請求項１に記載の接触検出装置。
【請求項９】
前記接触検出部は、前記演算回路で発生した前記検出信号と、前記走査駆動部の走査と同期した時間情報とから、前記被検出物の位置を求める
請求項７に記載の接触検出装置。
【請求項１０】
前記互いに近接し種類が異なるＭ本のセンサ線ごとに前記演算回路の各々が、全ての演算回路で同時にセンサ線電位をリセットするリセットスイッチを有する
請求項２〜５に記載の接触検出装置。
【請求項１１】
前記Ｍ本のセンサ線のうち、最も長さが短い種類のセンサ線をシールドする導電層を有する
請求項２〜５に記載の接触検出装置。
【請求項１２】
表示面と、
複数の映像信号線と、
前記複数の映像信号線への印加電圧に応じて前記表示面の表示を変化させる表示機能層と、
配線容量が異なる複数種類の配線から形成された複数のセンサ線と、
被検出物の前記表示面に対する接触または近接に応答して前記複数のセンサ線に発生した電気的変化を検出する接触検出部と、
を有し、
前記複数のセンサ線は配線容量が異なる複数種類の配線から形成され、
前記接触検出部は、配線容量が異なり互いに近接する複数種類のセンサ線からの複数の出力に対し配線容量比を用いた演算処理を行うことによって、前記電気的変化を示す検出信号を発生する演算回路を含む、
タッチセンサ機能を有する表示装置。
【請求項１３】
前記複数のセンサ線は、種類ごとに長さが異なり互いに平行配置されたに複数Ｍ種類の配線から形成され、かつ、互いに近接するＭ本のセンサ線は種類が異なるように配置され、
前記接触検出部は、前記互いに近接し種類が異なるＭ本のセンサ線ごとに前記演算回路を有する
請求項１２に記載のタッチセンサ機能を有する表示装置。
【請求項１４】
前記Ｍ本のセンサ線は、厚さと幅が同じで長さが複数種類の同一材料の配線から形成され、
前記Ｍ本のセンサ線の各々は、最も短い基本センサ線の長さをＬとしたときにＬのＫ倍（ただし、Ｋ＝１〜Ｎ）の長さを有し、
前記演算回路は、前記Ｍ本のセンサ線から最も長いセンサ線を含む２本のセンサ線を選択し、当該２本のセンサ線からの２つの出力に対して、前記選択した２本のセンサ線の長さの比に応じたタイミングで２つの出力をサンプリングし、サンプリング値の差分演算を行うことによって前記検出信号を求める
請求項１３に記載のタッチセンサ機能を有する表示装置。
【請求項１５】
前記Ｍ本のセンサ線のうち最大長のセンサ線は、前記表示面の有効表示領域の互いに対向する２辺と交差しており、
前記Ｍ本のセンサ線のうち最小長のセンサ線は、前記有効表示領域の外に配置されている
請求項１３に記載のタッチセンサ機能を有する表示装置。
【請求項１６】
複数の走査線および複数の映像信号線により相互接続され、対応する一の前記映像信号線の電圧を、対応する一の前記走査線の印加電圧に応じて書き込むスイッチを各々が含む複数の画素と、
前記画素ごとに設けられ、面状に行列配置された複数の画素電極と、
前記画素電極と対向する面状に配置され、前記画素電極の一方の配置方向である走査方向で前記画素電極の配列が有するピッチ長の１倍以上のピッチ長を有し、前記走査方向に等間隔で配置された複数ｍ個の駆動電極と、
前記ｍ個の駆動電極の各々との間に静電容量が形成される複数の検出電極と、
互いに対向する前記画素電極と前記駆動電極との間に印加される信号電圧に応じて画像の表示機能を発揮する表示機能層と、
前記走査方向と直交する他方向に並ぶ所定数の前記画素電極に対して、所定数の前記スイッチをオンして所定数の前記映像信号線の電圧を書き込む動作と、書き込み対象となる前記所定数の画素電極を前記走査方向に順に切り替えるシフト動作とを繰り返す書き込み駆動走査部と、
前記書き込み対象である前記所定数の画素電極と対向する駆動電極を含むことを条件に前記ｍ個の駆動電極から限定されるｓ（１≦ｓ＜ｍ）個の駆動電極に電圧を交流駆動し、当該交流駆動の対象である前記ｓ個の駆動電極を前記走査方向で前記条件を満たすようにシフトする交流駆動走査部と、
外部容量の影響で生じる前記静電容量の印加電圧の変化を前記検出電極の側で検出する接触検出部と、
を有し、
前記複数の検出電極が、配線容量が異なる複数種類の配線から形成され、
前記接触検出部は、配線容量が異なり互いに近接する複数種類の前記検出電極からの複数の出力に対し配線容量比を用いた演算処理を行うことによって、前記静電容量の印加電圧の変化を示す検出信号を発生する演算回路を含む
タッチセンサ機能を有する表示装置。
【請求項１７】
前記書き込み駆動走査部は、前記ｍ個の駆動電極から、連続する２つ以上の前記ｓ個の駆動電極を選択して当該選択したｓ個の駆動電極を交流駆動し、
前記複数の映像信号線は、前記駆動電極の交流駆動電圧に対応して映像信号の基準電位が２つのレベルで繰り返し変化した信号が印加され、
前記複数の映像信号線と前記複数の検出電極のそれぞれが、同一方向に長い平行ストライプ状に配置されている
請求項１６に記載のタッチセンサ機能を有する表示装置。
【請求項１８】
前記複数の検出電極は、種類ごとに長さが異なり互いに平行配置されたに複数Ｍ種類の配線から形成され、かつ、互いに近接するＭ個の検出電極は種類が異なるように配置され、
前記接触検出部は、前記互いに近接し種類が異なるＭ本の検出電極ごとに前記演算回路を有する
請求項１６に記載のタッチセンサ機能を有する表示装置。
【請求項１９】
前記Ｍ個の検出電極は、厚さと幅が同じで長さが複数種類の同一材料の配線から形成され、
前記Ｍ個の検出電極の各々は、最も短い基本検出電極の長さをＬとしたときにＬのＫ倍（ただし、Ｋ＝１〜Ｎ）の長さを有し、
前記演算回路は、前記Ｍ個の検出電極から最も長い検出電極を含む２本の検出電極センサ線を選択し、当該２本の検出電極からの２つの出力に対して、前記選択した２本の検出電極の長さの比に応じたタイミングで２つの出力をサンプリングし、サンプリング値の差分演算を行うことによって前記検出信号を求める
請求項１８に記載のタッチセンサ機能を有する表示装置。
【請求項２０】
前記複数の駆動電極は、前記走査線および前記映像信号線より前記表示面の側に配置されている
請求項１６〜１９に記載のタッチセンサ機能を有する表示装置。